(57)【要約】【課題】販売する飲料の値下げを各自動販売機に対してスムーズに反映させることを課題とする。【解決手段】値下要求価格記憶部および値下許可価格記憶部に記憶されている価格に変動があった場合（例えば、飲料メーカ端末から新たな値下要求価格を受け付けた場合など）には、この販売管理サーバ装置は、飲料の値下げが許可される自動販売機の検出を行う。具体的には、この販売管理サーバ装置は、飲料ごとに値下要求価格と値下許可価格とを参照して、値下許可価格が値下要求価格以下（例えば、値下許可価格が１００円で値下要求価格１１０円）である自動販売機を検出する。【選択図】        図１
2007264817.tif 000002
【特許請求の範囲】
【請求項１】
複数の自動販売機とネットワークで接続される販売管理サーバ装置に適用される販売管理方法を、当該販売管理サーバ装置としてのコンピュータに実行させる販売管理プログラムであって、
前記販売管理サーバ装置としてのコンピュータに、
前記自動販売機で販売される飲料の販売元である飲料メーカの端末から当該飲料の値下要求価格を受信して値下要求価格記憶手段に記憶する値下要求価格記憶手順と、
前記自動販売機を設置した自動販売機主の端末から当該自動販売機における前記飲料の値下許可価格を受信して値下許可価格記憶手段に記憶する値下許可価格記憶手順と、
前記値下要求価格記憶手段に記憶されている値下要求価格および／または前記値下許可価格記憶手段に記憶されている値下許可価格に変更があった場合には、当該値下要求価格と当該値下許可価格とを参照して、前記飲料の値下げが許可される自動販売機を検出する自動販売機検出手順と、
前記自動販売機検出手順により検出した自動販売機に値下指示を送信する値下指示送信手順と、
を実行させることを特徴とする販売管理プログラム。
【請求項２】
前記自動販売機検出手順は、前記値下許可価格が前記値下要求価格よりも高いが、現在価格よりも低い場合には、当該値下許可価格を採択する自動販売機も前記飲料の値下げが許可される自動販売機として検出し、
前記値下指示送信手順は、前記自動販売機検出手順により検出した自動販売機に当該値下許可価格による値下指示を送信することを特徴とする請求項１に記載の販売管理プログラム。
【請求項３】
前記自動販売機検出手順は、前記値下許可価格として最も多く採択されている値下許可価格を検出した後に、当該検出した値下許可価格以下の値下許可価格を採択する自動販売機を検出し、
前記値下指示送信手順は、前記自動販売機検出手順により検出した自動販売機に、前記値下許可価格として最も多く採択されている値下許可価格による値下指示を送信することを特徴とする請求項２に記載の販売管理プログラム。
【請求項４】
前記自動販売機検出手順により検出されなかった自動販売機に対して、前記飲料の値下げの打診を送信する値下打診送信手段とさらに備え、
前記値下許可価格記憶手順は、前記値下打診送信手段により送信された前記飲料の値下げの打診に対する応答を受信した場合には、前記値下許可価格記憶手段に当該応答にかかる値下許可価格を記憶することを特徴とする請求項１に記載の販売管理プログラム。
【請求項５】
複数の自動販売機とネットワークで接続される販売管理サーバ装置であって、
前記自動販売機で販売される飲料の販売元である飲料メーカの端末から当該飲料の値下要求価格を受信して記憶する値下要求価格記憶手段と、
前記自動販売機を設置した自動販売機主の端末から当該自動販売機における前記飲料の値下許可価格を受信して記憶する値下許可価格記憶手段と、
前記値下要求価格記憶手段に記憶されている値下要求価格および／または前記値下許可価格記憶手段に記憶されている値下許可価格に変更があった場合には、当該値下要求価格と当該値下許可価格とを参照して、前記飲料の値下げが許可される自動販売機を検出する自動販売機検出手段と、
前記自動販売機検出手段により検出された自動販売機に値下指示を送信する値下指示送信手段と、
を備えたことを特徴とする販売管理サーバ装置。
【発明の詳細な説明】
【技術分野】
【０００１】
この発明は、複数の自動販売機とネットワークで接続される販売管理サーバ装置に適用される販売管理方法を、当該販売管理サーバ装置としてのコンピュータに実行させる販売管理プログラム、複数の自動販売機とネットワークで接続される販売管理サーバ装置および複数の自動販売機とネットワークで接続される販売管理サーバ装置に適用される販売管理方法に関する。
【背景技術】
【０００２】
従来より、飲料等を自動で販売する自動販売機において、販売する飲料等の値引きを行うものが知られている。例えば、販売している飲料の販売数が所定期間内に目標数に到達していない場合には、飲料の販売価格について所定金額の値引きを各自動販売機単位で実行するものが存在する（特許文献１参照）。
【０００３】
【特許文献１】特開２００２−２８０２７０号公報
【発明の開示】
【発明が解決しようとする課題】
【０００４】
しかしながら、上記した従来の技術は、飲料メーカが実行しようとする販売飲料の値下げを各自動販売機に対してスムーズに反映させることができない場合があるという問題点があった。
【０００５】
すなわち、飲料メーカが自動販売機を設置する際に契約を交わした自動販売機主が存在する場合には、仮に通信機能を利用して自動販売機の表示価格を一括して値下げ表示することができるとしても、各自動販売機主に対して個別に値下げの許可を得る必要があるため、販売する飲料の値下げを各自動販売機に対してスムーズに反映させることができないという問題点があった。
【０００６】
そこで、この発明は、上述した従来技術の課題を解決するためになされたものであり、販売する飲料の値下げを各自動販売機に対してスムーズに反映させることが可能な販売管理プログラム、販売管理サーバ装置および販売管理方法を提供することを目的とする。
【課題を解決するための手段】
【０００７】
上述した課題を解決し、目的を達成するため、請求項１に係る発明は、複数の自動販売機とネットワークで接続される販売管理サーバ装置に適用される販売管理方法を、当該販売管理サーバ装置としてのコンピュータに実行させる販売管理プログラムであって、前記販売管理サーバ装置としてのコンピュータに、前記自動販売機で販売される飲料の販売元である飲料メーカの端末から当該飲料の値下要求価格を受信して値下要求価格記憶手段に記憶する値下要求価格記憶手順と、前記自動販売機を設置した自動販売機主の端末から当該自動販売機における前記飲料の値下許可価格を受信して値下許可価格記憶手段に記憶する値下許可価格記憶手順と、前記値下要求価格記憶手段に記憶されている値下要求価格および／または前記値下許可価格記憶手段に記憶されている値下許可価格に変更があった場合には、当該値下要求価格と当該値下許可価格とを参照して、前記飲料の値下げが許可される自動販売機を検出する自動販売機検出手順と、前記自動販売機検出手順により検出した自動販売機に値下指示を送信する値下指示送信手順と、を実行させることを特徴とする。
【０００８】
また、請求項２に係る発明は、上記の発明において、前記自動販売機検出手順は、前記値下許可価格が前記値下要求価格よりも高いが、現在価格よりも低い場合には、当該値下許可価格を採択する自動販売機も前記飲料の値下げが許可される自動販売機として検出し、前記値下指示送信手順は、前記自動販売機検出手順により検出した自動販売機に当該値下許可価格による値下指示を送信することを特徴とする。
【０００９】
また、請求項３に係る発明は、上記の発明において、前記自動販売機検出手順は、前記値下許可価格として最も多く採択されている値下許可価格を検出した後に、当該検出した値下許可価格以下の値下許可価格を採択する自動販売機を検出し、前記値下指示送信手順は、前記自動販売機検出手順により検出した自動販売機に、前記値下許可価格として最も多く採択されている値下許可価格による値下指示を送信することを特徴とする。
【００１０】
また、請求項４に係る発明は、上記の発明において、前記自動販売機検出手順により検出されなかった自動販売機に対して、前記飲料の値下げの打診を送信する値下打診送信手段とさらに備え、前記値下許可価格記憶手順は、前記値下打診送信手段により送信された前記飲料の値下げの打診に対する応答を受信した場合には、前記値下許可価格記憶手段に当該応答にかかる値下許可価格を記憶することを特徴とする。
【００１１】
また、請求項５に係る発明は、上記の発明において、複数の自動販売機とネットワークで接続される販売管理サーバ装置であって、前記自動販売機で販売される飲料の販売元である飲料メーカの端末から当該飲料の値下要求価格を受信して記憶する値下要求価格記憶手段と、前記自動販売機を設置した自動販売機主の端末から当該自動販売機における前記飲料の値下許可価格を受信して記憶する値下許可価格記憶手段と、前記値下要求価格記憶手段に記憶されている値下要求価格および／または前記値下許可価格記憶手段に記憶されている値下許可価格に変更があった場合には、当該値下要求価格と当該値下許可価格とを参照して、前記飲料の値下げが許可される自動販売機を検出する自動販売機検出手段と、前記自動販売機検出手段により検出された自動販売機に値下指示を送信する値下指示送信手段と、を備えたことを特徴とする。
【発明の効果】
【００１２】
請求項１または５の発明によれば、自動販売機で販売される飲料の販売元である飲料メーカの端末から当該飲料の値下要求価格を受信して記憶し、自動販売機を設置した自動販売機主の端末から当該自動販売機における前記飲料の値下許可価格を受信して記憶し、値下要求価格や値下許可価格に変更があった場合には、これら値下要求価格と値下許可価格とを参照して、飲料の値下げが許可される自動販売機を検出するとともに、検出した自動販売機に値下指示を送信するので、各自動販売機主に対して個別に許可を得る必要がなく、販売飲料の値下げを各自動販売機に対してスムーズに反映させることが可能となる。
【００１３】
また、請求項２の発明によれば、値下許可価格が値下要求価格よりも高いが、現在価格よりも低い場合には、その値下許可価格を採択する自動販売機も飲料の値下げが許可される自動販売機として検出し、検出した自動販売機にその値下許可価格による値下指示を送信するので、飲料メーカが希望する値下要求価格ではなくても少なからず値下げを実行することが可能となる。
【００１４】
また、請求項３の発明によれば、値下許可価格として最も多く採択されている値下許可価格を検出した後に、検出した値下許可価格以下の値下許可価格を採択する自動販売機を検出し、検出した自動販売機に値下許可価格として最も多く採択されている値下許可価格による値下指示を送信するので、値下価格のばらつきを少なくすることが可能となる。
【００１５】
また、請求項４の発明によれば、飲料の値下げを許可するものとして検出されなかった自動販売機に対して飲料の値下げの打診を送信し、飲料の値下げの打診に対する応答を受信した場合には、その応答にかかる値下許可価格を記憶するので、自動販売機主に値下げの打診をすることで、値下げを実行することができる可能性を高めることでき、自動販売機主からの応答があった場合にはその値下許可価格をすぐに反映することが可能となる。
【発明を実施するための最良の形態】
【００１６】
以下に添付図面を参照して、本発明に係る販売管理プログラム、販売管理サーバ装置および販売管理方法の実施例を詳細に説明する。なお、以下では、本発明に係る販売管理サーバ装置を実施例１として説明した後に、本発明に含まれる他の実施例を説明する。
【実施例１】
【００１７】
以下の実施例１では、実施例１に係る販売管理サーバ装置の概要および特徴、販売管理サーバ装置の構成および処理を順に説明し、最後に実施例１による効果を説明する。
【００１８】
［販売管理サーバ装置の概要および特徴（実施例１）］
まず最初に、図１を用いて、実施例１に係る販売管理サーバ装置の概要および特徴を説明する。図１は、実施例１に係る販売管理サーバ装置の概要を説明するための図である。同図に示すように、実施例１に係る販売管理サーバ装置は、ネットワークで接続された複数の自動販売機で販売される飲料の販売価格を管理することを概要とするが、販売する飲料の値下げを各自動販売機に対してスムーズに反映させる点に主たる特徴がある。
【００１９】
この主たる特徴について具体的に説明すると、この販売管理サーバ装置は、飲料メーカ端末装置、自動販売機主端末装置および複数の自動販売機とそれぞれネットワークで接続されており、飲料メーカ端末装置および自動販売機主端末装置から所定のＷＥＢ画面などを介して、販売されている飲料ごとに値下要求価格および値下許可価格をあらかじめ受け付けて、値下要求価格記憶部および値下許可価格記憶部にそれぞれ記憶している。
【００２０】
例えば、販売管理サーバ装置は、飲料メーカ端末装置に提供する値下要求価格入力画面を介して、飲料メーカ端末装置の管理者から飲料ごとに値下要求価格の入力を受け付けて（図２参照）、値下要求価格記憶部に記憶する。また、販売管理サーバ装置は、自動販売機主端末装置に提供する値下許可価格入力画面を介して、自動販売機主端末装置の管理者から自動販売機に一意に付与されている自動販売機ＩＤの入力および飲料ごとに値下許可価格を選択の受け付けて（図３参照）、値下許可価格記憶部に記憶する。
【００２１】
そして、値下要求価格記憶部および値下許可価格記憶部に記憶されている価格に変動があった場合（例えば、飲料メーカ端末から新たな値下要求価格を受け付けた場合など）には、この販売管理サーバ装置は、飲料の値下げが許可される自動販売機の検出を行う。具体的には、この販売管理サーバ装置は、飲料ごとに値下要求価格と値下許可価格とを参照して、値下許可価格が値下要求価格以下（例えば、値下許可価格が１００円で値下要求価格１１０円）である自動販売機を検出する。その結果、飲料の値下げが許可される自動販売機を検出した場合には、この販売管理サーバ装置は、自動販売機ＩＤに対応付けて保持している宛先に基づいて、検出した自動販売機に値下指示（例えば、値下要求価格による値下指示）を送信する。
【００２２】
このようなことから、実施例１に係る販売管理サーバ装置は、上述した主たる特徴の如く、販売する飲料の値下げを各自動販売機に対してスムーズに反映させることが可能となる。
【００２３】
［販売管理サーバ装置の構成（実施例１）］
次に、図４を用いて、実施例１に係る販売管理サーバ装置の構成を説明する。図４は、実施例１に係る販売管理サーバ装置の構成を示すブロック図である。同図に示すように、この販売管理サーバ装置１０は、通信制御ＩＦ部１１と、記憶部１２と、制御部１３とから構成される。なお、同図においては、実施例１に係る販売管理サーバ装置を実現するうえで必要となる処理部のみを示しており、その他の処理部の記載については省略している。
【００２４】
このうち、通信制御ＩＦ部１１は、飲料メーカ端末装置、自動販売機主端末装置および自動販売機との間でやり取りする各種情報（例えば、値下要求価格、値下許可価格および値下指示の情報）に関する通信を制御する手段である。
【００２５】
記憶部１２は、制御部１３による各種処理に必要なデータおよびプログラムを格納する格納手段（記憶手段）であり、特に本発明に密接に関連するものとしては、値下要求価格記憶部１２ａと、値下許可価格記憶部１２ｂとを備える。
【００２６】
このうち、値下要求価格記憶部１２ａは、飲料メーカから受け付けた値下許可価格に関する各種の情報を記憶する手段であり、具体的には、図５に例示するように、飲料ごと（例えば、飲料Ａまたは飲料Ｂなど）に、値下要求価格および現在価格を記憶して構成される。
【００２７】
値下許可価格記憶部１２ｂは、自動販売機主端末装置から受け付けた値下許可価格に関する各種の情報を記憶する手段であり、具体的には、図６に例示するように、自動販売機（例えば、自動販売機に一意に付与されているＩＤなど）に対応づけて、飲料ごと（例えば、飲料Ａまたは飲料Ｂなど）に値下許可価格を記憶して構成される。
【００２８】
制御部１３は、所定の制御プログラム、各種の処理手順などを規定したプログラムおよび所要データを格納するための内部メモリを有し、これらによって種々の処理を実行する処理部であり、特に本発明に密接に関連するものとしては、データ受信部１３ａと、自動販売機検出部１３ｂと、値下指示送信部１３ｃとを備える。
【００２９】
このうち、データ受信部１３ａは、通信制御ＩＦ部１１を介して、飲料メーカ端末装置から値下要求価格を受信するほか、自動販売機主端末装置から自動販売機ＩＤおよび値下許可価格を受信する処理部である。例えば、データ受信部１３ａは、飲料メーカ端末装置に提供する値下要求価格入力画面を介して、飲料メーカ端末装置の管理者から飲料ごとに値下要求価格の入力を受け付けて（図２参照）、値下要求価格記憶部１２ａに格納する。また、データ受信部１３ａは、自動販売機主端末装置に提供する値下許可価格入力画面を介して、自動販売機主端末装置の管理者から自動販売機に一意に付与されている自動販売機ＩＤの入力および飲料ごとに値下許可価格を選択の受け付けて（図３参照）、値下許可価格記憶部に格納する。
【００３０】
自動販売機検出部１３ｂは、飲料の値下げを許可する自動販売機を検出する処理部である。具体的には、値下要求価格記憶部１２ａおよび値下許可価格記憶部１２ｂに記憶されている価格に変動があった場合（例えば、飲料メーカ端末から新たな値下要求価格を受け付けた場合など）には、自動販売機検出部１３ｂは、飲料ごとに値下要求価格と値下許可価格とを参照して、値下許可価格が値下要求価格以下（例えば、値下許可価格が１００円で値下要求価格１１０円）である自動販売機を検出する。
【００３１】
そして、飲料の値下げが許可される自動販売機を検出した場合には、自動販売機検出部１３ｂは、検出した自動販売機のＩＤとともに値下指示（例えば、値下要求価格による値下指示）の送信指令を値下指示送信部１３ｃに出力する。なお、飲料の値下げが許可される自動販売機を検出しなかった場合には、自動販売機検出部１３ｂは、値下指示の送信指令を値下指示送信部１３ｃに出力しない。また、値下要求価格による値下指示の送信指令を出力する場合に限定されるものではなく、値下許可価格による値下指示の送信指令を出力するようにしてもよい。
【００３２】
値下指示送信部１３ｃは、自動販売機に値下指示を送信する処理部である。具体的には、自動販売機検出部１３ｂから自動販売機のＩＤとともに値下指示の送信指令を受け付けると、値下指示送信部１３ｃは、自動販売機のＩＤに対応付けて内部的に保持する自動販売機の宛先に基づいて値下指示を送信する。
【００３３】
［販売管理サーバ装置による処理（実施例１）］
次に、図７を用いて、実施例１に係る販売管理サーバ装置による処理を説明する。図７は、実施例１に係る販売管理サーバ装置の処理の流れを示すフローチャートである。同図に示すように、値下要求価格記憶部１２ａに記憶されている値下要求価格または値下許可価格記憶部１２ｂに記憶されている値下許可価格に変動があると（ステップＳ７０１肯定）、自動販売機検出部１３ｂは、飲料の値下げを許可する自動販売機の検出を行う（ステップＳ７０２）。
【００３４】
具体的には、この自動販売機検出部１３ｂは、飲料ごとに値下要求価格と値下許可価格とを参照して、値下許可価格が値下要求価格以下（例えば、値下許可価格が１００円で値下要求価格１１０円）である自動販売機を検出する。そして、飲料の値下げが許可される自動販売機を検出した場合には、自動販売機検出部１３ｂは、検出した自動販売機のＩＤとともに値下指示（例えば、値下要求価格による値下指示）の送信指令を値下指示送信部１３ｃに出力する。
【００３５】
そして、値下指示送信部１３ｃは、自動販売機検出部１３ｂから自動販売機のＩＤとともに値下指示の送信指令を受け付けると、自動販売機のＩＤに対応付けて内部的に保持する自動販売機の宛先に基づいて値下指示を送信する（ステップＳ７０３）。
【００３６】
なお、飲料の値下げが許可される自動販売機を検出しなかった場合には、自動販売機検出部１３ｂは、値下指示の送信指令を値下指示送信部１３ｃに出力しない。
【００３７】
［実施例１の効果］
上述してきたように、実施例１によれば、自動販売機で販売される飲料の販売元である飲料メーカの端末から当該飲料の値下要求価格を受信して記憶し、自動販売機を設置した自動販売機主の端末から当該自動販売機における前記飲料の値下許可価格を受信して記憶し、値下要求価格や値下許可価格に変更があった場合には、これら値下要求価格と値下許可価格とを参照して、飲料の値下げが許可される自動販売機を検出するとともに、検出した自動販売機に値下指示を送信するので、各自動販売機主に対して個別に許可を得る必要がなく、販売飲料の値下げを各自動販売機に対してスムーズに反映させることが可能となる。
【実施例２】
【００３８】
さて、これまで本発明の実施例１について説明したが、本発明は上述した実施例１以外にも、種々の異なる形態にて実施されてよいものである。そこで、以下では、本発明に含まれる他の実施例を説明する。
【００３９】
（１）値下許可価格と現在価格とに基づいて自動販売機検出
上記の実施例１では、飲料の値下許可価格が値下要求価格以下である自動販売機を検出する場合を説明したが、本発明はこれに限定されるものではなく、値下許可価格が値下要求価格より高い場合であっても現在価格よりも低い場合には、その値下許可価格を採択する自動販売機も飲料の値下げを許可する自動販売機として検出して値下指示を送信するようにしてもよい。これにより、飲料メーカが希望する値下要求価格ではなくても少なからず値下げを実行することが可能となる。
【００４０】
（２）値下許可価格として最も採択数の多い値下許可価格による値下指示
また、上記の（１）において、値下許可価格として最も多く採択されている値下許可価格（例えば、１１０円）を検出した後に、検出した値下許可価格以下（１１０円以下）の値下許可価格を採択する自動販売機を検出し、検出した自動販売機に値下許可価格として最も多く採択されている値下許可価格（例えば、１１０円）による値下指示を送信するようにしてもよい。これにより、値下価格のばらつきを少なくすることが可能となる。
【００４１】
（３）値下げの打診
また、上記の実施例において、飲料の値下げを許可するものとして検出されなかった自動販売機に対して飲料の値下げの打診を、例えば、値下許可価格入力画面へのＵＲＬを添付したメールなどで送信し（図８参照）、飲料の値下げの打診に対する応答を受信した場合には、その応答にかかる値下許可価格を記憶するようにしてもよい。これにより、自動販売機主に値下げの打診をすることで、値下げを実行することができる可能性を高めることでき、自動販売機主からの応答があった場合にはその値下許可価格をすぐに反映することが可能となる。
【００４２】
（４）装置構成等
また、図４に示した販売管理サーバ装置１０の各構成要素は機能概念的なものであり、必ずしも物理的に図示の如く構成されていることを要しない。すなわち、販売管理サーバ装置１０の分散・統合の具体的形態は図示のものに限られず、データ受信部１３ａと自動販売機検出部１３ｂとを統合するなど、その全部または一部を、各種の負荷や使用状況などに応じて、任意の単位で機能的または物理的に分散・統合して構成することができる。さらに、販売管理サーバ装置１０にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００４３】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００４４】
（５）販売管理プログラム
ところで、上記の実施例１で説明した各種の処理は、あらかじめ用意されたプログラムをパーソナルコンピュータやワークステーションなどのコンピュータシステムで実行することによって実現することができる。そこで、以下では、図９を用いて、上記の実施例１で説明した販売管理サーバ装置１０の処理と同様の機能を有する販売管理プログラムを実行するコンピュータの一例を説明する。図９は、販売管理プログラムを実行するコンピュータを示す図である。
【００４５】
同図に示すように、販売管理サーバ装置であるコンピュータ２０は、通信制御ＩＦ部２１と、ＨＤＤ２２と、ＲＡＭ２３と、ＲＯＭ２４と、ＣＰＵ２５とを所定のバス３０で接続して構成される。ここで、通信制御ＩＦ部２１は、図２に示した通信制御ＩＦ部１１に対応する。
【００４６】
まず、ＲＯＭ２４には、上記の実施例１に示した販売管理サーバ装置１０と同様の機能を発揮する接続プログラム、つまり、図９に示すように、データ受信プログラム２４ａ、自動販売機検出プログラム２４ｂおよび値下指示送信プログラム２４ｃがあらかじめ記憶されている。なお、これらのプログラム２４ａ、２４ｂおよび２４ｃについては、図２に示した販売管理サーバ装置１０の各構成要素と同様、適宜統合または分散してもよい。
【００４７】
そして、ＣＰＵ２５が、これらのプログラム２４ａ、２４ｂおよび２４ｃをＲＯＭ２４から読み出して実行することで、図９に示すように、各プログラム２４ａ、２４ｂおよび２４ｃは、データ受信プロセス２５ａ、自動販売機検出プロセス２５ｂおよび値下指示送信プロセス２５ｃとして機能するようになる。なお、各プロセス２５ａ、２５ｂおよび２５ｃは、図２に示した販売管理サーバ装置１０のデータ受信部１３ａ、自動販売機検出部１３ｂおよび値下指示送信部１３ｃにそれぞれ対応する。
【００４８】
また、ＨＤＤ２２には、図９に示すように、値下要求価格テーブル２２ａおよび値下許可価格テーブル２２ｂが設けられる。この値下要求価格テーブル２２ａおよび値下許可価格テーブル２２ｂは、図２に示した販売管理サーバ装置１０の値下要求価格記憶部１２ａおよび値下許可価格記憶部１２ｂにそれぞれ対応する。そして、ＣＰＵ２５は、値下要求価格テーブル２２ａおよび値下許可価格テーブル２２ｂから値下要求価格データ２３ａおよび値下許可価格データ２３ｂをそれぞれ読み出してＲＡＭ２３に格納し、ＲＡＭ２３に格納された値下要求価格データ２３ａおよび値下許可価格データ２３ｂに基づいて処理を実行する。
【００４９】
なお、上記した各プログラム２４ａ、２４ｂおよび２４ｃは、必ずしも最初からＲＯＭ２４に記憶させておく必要はなく、例えば、コンピュータ２０に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」、または、コンピュータ２０の内外に備えられるＨＤＤなどの「固定用の物理媒体」、さらには、公衆回線、インターネット、ＬＡＮ、ＷＡＮなどを介してコンピュータ２０に接続される「他のコンピュータ（またはサーバ）」などに各プログラムを記憶させておき、コンピュータ２０がこれらから各プログラムを読み出して実行するようにしてもよい。
【００５０】
（付記１）複数の自動販売機とネットワークで接続される販売管理サーバ装置に適用される販売管理方法を、当該販売管理サーバ装置としてのコンピュータに実行させる販売管理プログラムであって、
前記販売管理サーバ装置としてのコンピュータに、
前記自動販売機で販売される飲料の販売元である飲料メーカの端末から当該飲料の値下要求価格を受信して値下要求価格記憶手段に記憶する値下要求価格記憶手順と、
前記自動販売機を設置した自動販売機主の端末から当該自動販売機における前記飲料の値下許可価格を受信して値下許可価格記憶手段に記憶する値下許可価格記憶手順と、
前記値下要求価格記憶手段に記憶されている値下要求価格および／または前記値下許可価格記憶手段に記憶されている値下許可価格に変更があった場合には、当該値下要求価格と当該値下許可価格とを参照して、前記飲料の値下げが許可される自動販売機を検出する自動販売機検出手順と、
前記自動販売機検出手順により検出した自動販売機に値下指示を送信する値下指示送信手順と、
を実行させることを特徴とする販売管理プログラム。
【００５１】
（付記２）前記自動販売機検出手順は、前記値下許可価格が前記値下要求価格よりも高いが、現在価格よりも低い場合には、当該値下許可価格を採択する自動販売機も前記飲料の値下げが許可される自動販売機として検出し、
前記値下指示送信手順は、前記自動販売機検出手順により検出した自動販売機に当該値下許可価格による値下指示を送信することを特徴とする付記１に記載の販売管理プログラム。
【００５２】
（付記３）前記自動販売機検出手順は、前記値下許可価格として最も多く採択されている値下許可価格を検出した後に、当該検出した値下許可価格以下の値下許可価格を採択する自動販売機を検出し、
前記値下指示送信手順は、前記自動販売機検出手順により検出した自動販売機に、前記値下許可価格として最も多く採択されている値下許可価格による値下指示を送信することを特徴とする付記２に記載の販売管理プログラム。
【００５３】
（付記４）前記自動販売機検出手順により検出されなかった自動販売機に対して、前記飲料の値下げの打診を送信する値下打診送信手段とさらに備え、
前記値下許可価格記憶手順は、前記値下打診送信手段により送信された前記飲料の値下げの打診に対する応答を受信した場合には、前記値下許可価格記憶手段に当該応答にかかる値下許可価格を記憶することを特徴とする付記１に記載の販売管理プログラム。
【００５４】
（付記５）複数の自動販売機とネットワークで接続される販売管理サーバ装置であって、
前記自動販売機で販売される飲料の販売元である飲料メーカの端末から当該飲料の値下要求価格を受信して記憶する値下要求価格記憶手段と、
前記自動販売機を設置した自動販売機主の端末から当該自動販売機における前記飲料の値下許可価格を受信して記憶する値下許可価格記憶手段と、
前記値下要求価格記憶手段に記憶されている値下要求価格および／または前記値下許可価格記憶手段に記憶されている値下許可価格に変更があった場合には、当該値下要求価格と当該値下許可価格とを参照して、前記飲料の値下げが許可される自動販売機を検出する自動販売機検出手段と、
前記自動販売機検出手段により検出された自動販売機に値下指示を送信する値下指示送信手段と、
を備えたことを特徴とする販売管理サーバ装置。
【００５５】
（付記６）複数の自動販売機とネットワークで接続される販売管理サーバ装置に適用される販売管理方法であって、
前記自動販売機で販売される飲料の販売元である飲料メーカの端末から当該飲料の値下要求価格を受信して記憶する値下要求価格記憶工程と、
前記自動販売機を設置した自動販売機主の端末から当該自動販売機における前記飲料の値下許可価格を受信して記憶する値下許可価格記憶工程と、
前記値下要求価格記憶工程に記憶されている値下要求価格および／または前記値下許可価格記憶工程に記憶されている値下許可価格に変更があった場合には、当該値下要求価格と当該値下許可価格とを参照して、前記飲料の値下げが許可される自動販売機を検出する自動販売機検出工程と、
前記自動販売機検出工程により検出された自動販売機に値下指示を送信する値下指示送信工程と、
を含んだことを特徴とする販売管理方法。
【産業上の利用可能性】
【００５６】
以上のように、本発明に係る販売管理プログラムは複数の自動販売機とネットワークで接続される販売管理サーバ装置に適用される販売管理方法を、当該販売管理サーバ装置としてのコンピュータに実行させる場合、複数の自動販売機とネットワークで接続される販売管理サーバ装置および複数の自動販売機とネットワークで接続される販売管理サーバ装置に適用される販売管理方法に有用であり、特に、販売する飲料の値下げを各自動販売機に対してスムーズに反映させることに適する。
【図面の簡単な説明】
【００５７】
【図１】実施例１に係る販売管理サーバ装置の概要を説明するための図である。
【図２】飲料メーカ端末装置に提供される値下要求価格入力画面の構成例を示す図である。
【図３】自動販売機主端末装置に提供される値下許可価格入力画面の構成例を示す図である。
【図４】実施例１に係る販売管理サーバ装置の構成を示すブロック図である。
【図５】実施例１に係る値下要求価格記憶部に記憶される情報の構成例を示す図である。
【図６】実施例１に係る値下許可価格記憶部に記憶される情報の構成例を示す図である。
【図７】実施例１に係る販売管理サーバ装置の処理の流れを示すフローチャートである。
【図８】販売管理サーバ装置から送信されるメールの構成例を示す図である。
【図９】販売管理プログラムを実行するコンピュータを示す図である。
【符号の説明】
【００５８】
１０  販売管理サーバ装置
１１  通信制御ＩＦ部
１２  記憶部
１２ａ  値下要求価格記憶部
１２ｂ  値下許可価格記憶部
１３  制御部
１３ａ  データ受信部
１３ｂ  自動販売機検出部
１３ｃ  値下指示送信部
２０  コンピュータ
２１  通信制御ＩＦ部
２２  ＨＤＤ（Hard disk drive）
２３  ＲＡＭ（Random access memory）
２４  ＲＯＭ（Read only memory）
２５  ＣＰＵ（Central processing unit）
３０  バス
【図１】
2007264817.tif 000003
【図２】
2007264817.tif 000004
【図３】
2007264817.tif 000005
【図４】
2007264817.tif 000006
【図５】
2007264817.tif 000007
【図６】
2007264817.tif 000008
【図７】
2007264817.tif 000009
【図８】
2007264817.tif 000010
【図９】
2007264817.tif 000011